(57)【特許請求の範囲】
【請求項１】
ナースコール子機で呼び出しが行われたことを携帯用ナースコール親機に対して呼出画像の表示により報知するように成された携帯用ナースコール親機への呼出画像表示制御システムであって、
上記ナースコール子機の識別情報を含む呼出信号を入力したときに、当該呼出信号に含まれる上記識別情報に対応付けられた患者情報を含む呼出画像を取得する画像取得部と、
上記画像取得部により上記呼出画像が取得される都度、上記呼出画像を画像サーバの所定のロケーションに格納する画像格納部と、
上記ナースコール子機の識別情報および呼出先の識別情報を含む呼出信号を入力したときに、上記ナースコール子機と上記携帯用ナースコール親機とが通話中であるか否かを判定する通話判定部と、
上記通話判定部により通話中でないと判定された場合には上記通話判定部が入力した呼出信号を上記携帯用ナースコール親機に送信し、通話中であると判定された場合にはトーン信号を上記携帯用ナースコール親機に送信する信号送信部と、
上記携帯用ナースコール親機が上記呼出信号または上記トーン信号を受信したときに、上記所定のロケーションをアクセス先とする所在情報に基づき上記画像サーバにアクセスし、上記所定のロケーションに格納されている上記呼出画像を上記画像サーバから上記携帯用ナースコール親機に取得して表示する呼出画像表示制御部とを備えことを特徴とする携帯用ナースコール親機への呼出画像表示制御システム。
【請求項２】
上記信号送信部は、上記通話判定部により通話中であると判定された場合には、上記トーン信号に代えて画像更新命令を上記携帯用ナースコール親機に送信し、
上記呼出画像表示制御部は、上記携帯用ナースコール親機が上記呼出信号または上記画像更新命令を受信したときに、上記所定のロケーションをアクセス先とする所在情報に基づき上記画像サーバにアクセスし、上記所定のロケーションに格納されている上記呼出画像を上記画像サーバから上記携帯用ナースコール親機に取得して表示することを特徴とする請求項１に記載の携帯用ナースコール親機への呼出画像表示制御システム。
【発明の詳細な説明】
【技術分野】
【０００１】
本発明は、携帯用ナースコール親機への呼出画像表示制御システムに関し、特に、ナースコール子機からの呼び出しを携帯用ナースコール親機へ報知するようになされたナースコールシステムに適用して好適なものである。
【背景技術】
【０００２】
一般に、病院や介護施設などで使われるナースコールシステムは、患者や被介護者（以下、単に患者という）が医師や看護師、介護師（以下、単に看護師という）のサポートを必要とする際に、患者がナースコール子機の呼出ボタン等を押下することによって看護師を呼び出すことができるように成されたシステムである。
【０００３】
多くのナースコールシステムでは、ナースセンタに設置されたナースコール親機への呼び出しを行うが、ＰＢＸ（Private Branch Exchange）を介して看護師が携帯するＰＨＳ（Personal Handyphone System）端末への呼び出しを行うナースコールシステムも提供されている。近年では、ＳＩＰ（Session Initiation Protocol）サーバを備え、ＩＰ（Internet Protocol）電話への呼び出しを行うナースコールシステムも提案されている（例えば、特許文献１参照）。
【０００４】
この特許文献１に記載のナースコールシステムは、室内の患者から呼び出しおよび通話を行うナースコール子機と、ナースコール子機からの呼び出し（呼出元、呼出先、呼出時間等の呼出履歴）を表示し応答通話を行うナースコール親機および携帯用ナースコール親機（ＩＰ電話）とで構成する。そして、ナースコール親機およびＩＰ電話を、内線同士を接続するＳＩＰサーバにより相互に接続している。
【０００５】
また、ナースコール子機からの呼出情報に加えてカメラの撮影映像をナースコール親機に送信するようにしたＷＥＢナースコール装置も提案されている（例えば、特許文献２参照）。この特許文献２に記載のＷＥＢナースコール装置では、カメラと、当該カメラの映像信号およびナースコール子機からの呼出情報を介護施設へ送信するＷＥＢアダプタとを被介護者宅に備え、介護施設はナースコール親機を備えている。ナースコール親機では、呼出情報で示される呼出者の情報を記憶部から読み出し、送られてきた映像信号と共にディスプレイに表示する。
【０００６】
これらの特許文献１，２を含む従来のナースコールシステムでは、ナースコール親機や携帯用ナースコール親機に対する呼び出しの報知が、呼出音の鳴動とモニタ画面への表示とによって行われる。単に呼出音が鳴るだけでなく、患者情報等が表示されることにより、看護師が表示内容を見て呼び出しの内容を把握し、適切な対応をとることができる。
【先行技術文献】
【特許文献】
【０００７】
【特許文献１】特開２０１０−２３２７５８号公報
【特許文献２】特開２００５−２０４２４５号公報
【発明の概要】
【発明が解決しようとする課題】
【０００８】
従来のナースコールシステムでは、あるナースコール子機とある携帯用ナースコール親機とが通話中の場合は、別のナースコール子機から同じ携帯用ナースコール親機に対する呼び出しを行うことができない。その場合、通話中の携帯用ナースコール親機に対しては、呼び出しを行う代わりに「プッ」というトーン音を受話部から出力する。携帯用ナースコール親機で患者と通話中の看護師は、受話部から出力されるトーン音を聞くことにより、別の患者から呼び出しがあったことを通話中でも認識することができる。
【０００９】
しかしながら、別の患者から呼び出しがあったこと自体を認識できても、その呼び出しの内容までは認識することができないという問題があった。場合によっては、通話中の患者よりも、後から呼び出しのあった患者の方が緊急度が高いかもしれないが、トーン音だけでは呼び出しの緊急度までは把握することができない。そのため、現在の通話を継続すべきか、後からの呼び出しに直ちに応答すべきかの正しい判断ができず、適切な対応がとれない場合があった。
【００１０】
本発明は、このような問題を解決するために成されたものであり、ナースコール子機との通話中の携帯用ナースコール親機に対して別のナースコール子機から呼び出しがあった場合に、その携帯用ナースコール親機に対して呼び出しの内容を報知できるようにすることを目的とする。
【課題を解決するための手段】
【００１１】
上記した課題を解決するために、本発明では、ナースコール子機の識別情報を含む呼出信号を入力したときに、当該呼出信号に含まれる識別情報に対応付けられた患者情報を含む呼出画像を取得して画像サーバの所定のロケーションに格納する。また、ナースコール子機と携帯用ナースコール親機とが通話中でない場合には呼出信号を携帯用ナースコール親機に送信する一方、通話中である場合にはトーン信号を携帯用ナースコール親機に送信する。携帯用ナースコール親機では、呼出信号またはトーン信号を受信したときに、所定のロケーションに格納されている呼出画像を画像サーバから取得して表示する。
【発明の効果】
【００１２】
上記のように構成した本発明によれば、ナースコール子機と通話中の携帯用ナースコール親機に対して別のナースコール子機から呼び出しがあると、呼出信号ではなくトーン信号が携帯用ナースコール親機に送信される。その場合でも、携帯用ナースコール親機から画像サーバの所定のロケーションに対してアクセスが行われて呼出画像が取得され、携帯用ナースコール親機にて表示される。
【００１３】
ここで、所定のロケーションに格納される呼出画像は、ナースコール子機の呼出信号が入力されたときに、その呼出信号に含まれる識別情報に対応付けられた患者情報を含む呼出画像に更新されている。そのため、ナースコール子機との通話中の携帯用ナースコール親機に対して別のナースコール子機から呼び出しがあった場合は、当該別のナースコール子機の呼出信号に対応する呼出画像が携帯用ナースコール親機にて取得されて表示されることとなる。これにより、通話中の携帯用ナースコール親機にてトーン音を出力するのみならず、呼出画像の表示により呼び出しの内容を報知することができる。
【図面の簡単な説明】
【００１４】
【図１】本実施形態による携帯用ナースコール親機への呼出画像表示制御システムの機能構成例を示すブロック図である。
【図２】図１に示す呼出画像表示制御システムを適用した本実施形態によるナースコールシステムの全体構成例を示す図である。
【図３】本実施形態によるナースコールシステムの動作例を示すフローチャートである。
【図４】本実施形態によるナースコールシステムの動作例（図３の続き）を示すフローチャートである。
【発明を実施するための形態】
【００１５】
以下、本発明の一実施形態を図面に基づいて説明する。図１は、本実施形態による携帯用ナースコール親機への呼出画像表示制御システムの機能構成例を示すブロック図である。図２は、図１に示す呼出画像表示制御システムを適用した本実施形態によるナースコールシステムの全体構成例を示す図である。本実施形態のナースコールシステムは、ナースコール子機で呼び出しが行われたことを携帯用ナースコール親機に対して呼出音の出力および呼出画像の表示により報知するものである。
【００１６】
図１に示すように、本実施形態による携帯用ナースコール親機への呼出画像表示制御システムは、その機能構成として、画像取得部１０１、画像格納部１０２、通話判定部１０３、信号送信部１０４、呼出画像表示制御部１０５および画像サーバ１１を備えている。
【００１７】
また、図２に示すように、本実施形態のナースコールシステムは、ハンド形子機１、医療機器２、壁埋込形子機３、廊下灯４、制御機５、ナースコール親機６、ＩＰアダプタ７、ＳＩＰサーバ８、無線送受信機９、ＩＰ携帯電話１０および画像サーバ１１を備えて構成されている。なお、ハンド形子機１、医療機器２および壁埋込形子機３が特許請求の範囲のナースコール子機に相当し、ＩＰ携帯電話１０が特許請求の範囲の携帯用ナースコール親機に相当する。
【００１８】
まず、図１に基づいて説明する。画像取得部１０１は、ナースコール子機の識別情報を含む呼出信号を入力したときに、当該呼出信号に含まれる識別情報に対応付けられた患者情報を含む呼出画像（描画形式の画像のほか、テキスト情報をレイアウトして構成した画像等を含む）を取得する。この画像取得部１０１の機能は、図２に示すナースコール親機６が備えている。なお、ナースコール親機６の機能については、図２を用いて後述する。
【００１９】
画像格納部１０２は、画像取得部１０１により呼出画像が取得される都度、当該取得された呼出画像をＨＴＭＬ（HyperText Markup Language）画像として画像サーバ１１の所定のロケーションに更新格納する。この画像格納部１０２の機能も、図２のナースコール親機６が備えている。例えば、あるナースコール子機から出力された呼出信号が画像取得部１０１に入力されると、そのナースコール子機に対応した呼出画像が画像取得部１０１により取得され、画像格納部１０２により画像サーバ１１の所定のロケーションに格納される。
【００２０】
その後、別のナースコール子機から出力された呼出信号が画像取得部１０１に入力されると、当該別のナースコール子機に対応した呼出画像が画像取得部１０１により取得され、画像格納部１０２により画像サーバ１１の所定のロケーションに更新格納される（上書きされる）。この呼出画像の上書きは、最初に呼び出しが行われたナースコール子機とＩＰ携帯電話１０との間で通話が行われている最中か否かによらず実行される。
【００２１】
通話判定部１０３は、ナースコール子機の識別情報および呼出先の識別情報を含む呼出信号を入力したときに、ナースコール子機と呼出先のＩＰ携帯電話１０とが通話中であるか否かを判定する。通話判定部１０３は、通話中でないと判定した場合には呼出信号を信号送信部１０４に転送し、通話中であると判定した場合にはトーン信号送信命令を信号送信部１０４に出力する。この通話判定部１０３の機能は、例えば図２に示すＩＰアダプタ７が備えている。なお、ＩＰアダプタ７の機能については、図２を用いて後述する。
【００２２】
信号送信部１０４は、通話判定部１０３により通話中でないと判定された場合には、通話判定部１０３から転送された呼出信号をＩＰ携帯電話１０に送信する。一方、信号送信部１０４は、通話判定部１０３により通話中であると判定された場合には、通話判定部１０３から出力されたトーン信号送信命令に従ってトーン信号を発生し、ＩＰ携帯電話１０に送信する。この信号送信部１０４の機能は、図２に示すＳＩＰサーバ８が備えている。なお、ＳＩＰサーバ８の機能については、図２を用いて後述する。
【００２３】
呼出画像表示制御部１０５は、ＩＰ携帯電話１０が備える機能であり、ＩＰ携帯電話１０が呼出信号またはトーン信号を受信したときに、所定のロケーションをアクセス先とする所在情報（例えば、あらかじめ設定しておいたＵＲＬ）に基づいて画像サーバ１１にアクセスする。そして、所定のロケーションに格納されている呼出画像を画像サーバ１１から取得し、ＩＰ携帯電話１０のモニタ画面に表示させるように制御する。なお、呼出画像表示制御部１０５（ＩＰ携帯電話１０）と画像サーバ１１との間は、例えばＨＴＴＰ（HyperText Transfer Protocol）に基づく通信ネットワークを介して接続される。
【００２４】
次に、図２に基づいて説明する。ハンド形子機１は、各患者のベッド脇に設置され、看護師の一般呼出を指示するための一般呼出ボタン、緊急呼出を指示するための緊急呼出ボタンなどを備えている。患者が必要に応じて何れかの呼出ボタンを押下すると、ハンド形子機１は、押下された呼出ボタンに対応する呼出種別の情報を含む呼出信号を出力する。例えば、患者が一般呼出ボタンを押下すると、ハンド形子機１は、一般呼出であることを示す呼出種別の情報を含む呼出信号を出力する。
【００２５】
医療機器２は、人工呼吸器または心電計などの生体モニタである。医療機器２は、患者の状態が異常と判断された場合（例えば、人工呼吸器または心電計などで異常値が測定された場合など）に、ＭＥ呼出であることを示す呼出種別の情報を含む呼出信号を出力する。
【００２６】
壁埋込形子機３は、病室の各ベッドサイドの壁に埋め込み設置される。この壁埋込形子機３は、ハンド形子機１および医療機器２が接続される接続端子を備えている。また、壁埋込形子機３は、廊下灯４に接続されている。壁埋込形子機３は、ハンド形子機１または医療機器２から呼出信号を受けると、呼出元の識別情報（例えば、壁埋込形子機３の接続端子番号）および呼出種別の情報を含む呼出信号を廊下灯４に出力する。
【００２７】
廊下灯４は、各病室に設置される。廊下灯４は、複数の壁埋込形子機３が接続される複数の入力ポートを備え、どの入力ポートから呼出信号を受けたかに応じて、呼出信号の供給元である壁埋込形子機３を示す情報（例えば、ベッド番号）を特定する。そして、廊下灯４は、壁埋込形子機３の接続端子番号およびベッド番号に廊下灯４の識別情報（例えば、部屋番号）を加えて呼出元であるナースコール子機の識別情報を生成し、当該識別情報および呼出種別の情報を含む呼出信号を制御機５に出力する。
【００２８】
制御機５は、廊下灯４とナースコール親機６との間に接続され、廊下灯４から供給された呼出信号をナースコール親機６に出力する。また、制御機５にはＩＰアダプタ７も接続されている。制御機５は、廊下灯４から呼出信号が供給されたときに、その呼出信号に含まれているナースコール子機の識別情報および呼出種別の情報に加えて、呼出先のＩＰ携帯電話１０の識別情報を含む呼出信号を生成してＩＰアダプタ７に出力する。
【００２９】
ナースコール親機６は、ナースセンタに設置されている。このナースコール親機６は、壁埋込形子機３を識別するための子機識別情報（部屋番号およびベッド番号）と、その壁埋込形子機３があるベッドを使用している患者の情報（氏名、年齢など）とを対応付けた患者テーブルを図示しないメモリに保持している。また、ナースコール親機６は、上述した子機識別情報と、その子機識別情報に対応する患者の担当看護師が所持するＩＰ携帯電話１０の識別情報である電話番号情報とを対応付けた端末テーブルをメモリに保持している。
【００３０】
さらに、ナースコール親機６は、各患者に対応する患者情報を含む呼出画像を、それぞれの子機識別情報に対応付けて図示しない画像データベースに保存している。この呼出画像は、例えば、氏名や年齢などの患者情報に加えて、部屋番号やベッド番号などの情報を含んだ画像である。
【００３１】
ナースコール親機６は、制御機５から呼出信号を入力すると、看護師の呼び出しを行うべく所定の呼出音をスピーカから出力する。また、ナースコール親機６は、制御機５から入力した呼出信号に含まれるナースコール子機の識別情報に基づき画像データベースを参照して呼出画像を取得し（画像取得部１０１の機能）、当該呼出画像をモニタ画面に表示する。なお、呼出画像の表示に加えまたは代えて、呼出信号に含まれるナースコール子機の識別情報に基づき患者テーブルを参照して患者情報を特定し、当該患者情報を部屋番号やベッド番号、呼出種別と共にモニタ画面に表示するようにしてもよい。
【００３２】
また、ナースコール親機６は、制御機５から入力した呼出信号に含まれるナースコール子機の識別情報に基づき画像データベースを参照して呼出画像を取得したときに、当該取得した呼出画像をＨＴＭＬ画像として画像サーバ１１の所定のロケーションに格納する（画像格納部１０２の機能）。
【００３３】
また、ナースコール親機６は、制御機５から呼出信号を入力すると、その呼出信号に含まれるナースコール子機の識別情報に基づき端末テーブルを参照し、担当の看護師が所持するＩＰ携帯電話１０の電話番号情報を特定し、当該電話番号情報を制御機５に通知する。この通知を受けた制御機５は、上述のように、呼出元であるナースコール子機の識別情報および呼出種別の情報に加えて、呼出先であるＩＰ携帯電話１０の電話番号情報を含む呼出信号を生成してＩＰアダプタ７に出力する。
【００３４】
ＩＰアダプタ７は、制御機５から呼出信号を入力したときに、ハンド形子機１と呼出先のＩＰ携帯電話１０とが通話中であるか否かを判定する（通話判定部１０３の機能）。ＩＰアダプタ７は、通話中でないと判定した場合には、制御機５から入力した呼出信号をＳＩＰサーバ８に転送する。一方、ＩＰアダプタ７は、通話中であると判定した場合には、呼出先であるＩＰ携帯電話１０の電話番号情報を含むトーン信号送信命令をＳＩＰサーバ８に出力する。
【００３５】
ＳＩＰサーバ８は、ＩＰアダプタ７から呼出信号が転送されてきた場合は、その呼出信号を呼出先のＩＰ携帯電話１０に送信する（信号送信部１０４の機能）。具体的には、ＳＩＰサーバ８は、ＩＰ携帯電話１０と通信するための無線送受信機９に接続されている。ＳＩＰサーバ８は、ＩＰアダプタ７から呼出信号を入力すると、無線送受信機９を介して、当該呼出信号に含まれる電話番号情報を利用して呼出先のＩＰ携帯電話１０に架電し、呼出信号を送信する。
【００３６】
また、ＳＩＰサーバ８は、ＩＰアダプタ７からトーン信号送信命令が出力された場合は、トーン信号を発生して呼出先のＩＰ携帯電話１０に送信する（信号送信部１０４の機能）。具体的には、ＳＩＰサーバ８は、ＩＰアダプタ７からトーン信号送信命令を入力すると、無線送受信機９を介して、当該トーン信号送信命令に含まれる電話番号情報を利用して呼出先のＩＰ携帯電話１０に架電し、トーン信号を発生して送信する。
【００３７】
ＩＰ携帯電話１０は、ＳＩＰサーバ８から呼出信号を受信したときに、所定の呼出音をスピーカから出力する。また、ＩＰ携帯電話１０は、所定のロケーションをアクセス先とするＵＲＬに基づいて画像サーバ１１にアクセスする。そして、所定のロケーションに格納されている呼出画像を画像サーバ１１から取得し、モニタ画面に表示させるように制御する（呼出画像表示制御部１０５の機能）。
【００３８】
一方、ＩＰ携帯電話１０がＳＩＰサーバ８からトーン信号を受信したときは、当該トーン信号に基づくトーン音を受話部から出力する。また、ＩＰ携帯電話１０は、所定のロケーションをアクセス先とするＵＲＬに基づいて画像サーバ１１にアクセスする。そして、所定のロケーションに格納されている呼出画像を画像サーバ１１から取得し、モニタ画面に表示させるように制御する（呼出画像表示制御部１０５の機能）。
【００３９】
次に、上記のように構成した本実施形態によるナースコールシステムの動作を説明する。図３および図４は、本実施形態によるナースコールシステムの動作例を示すフローチャートである。図３に示すフローチャートは、ハンド形子機１において呼出ボタンが押下されたときに開始する。
【００４０】
ある患者がハンド形子機１（以下、図３のフローチャートにおいて子機Ａという）の呼出ボタンを押下すると、子機Ａは、押下された呼出ボタンに対応する呼出種別の情報を含む呼出信号を出力する（ステップＳ１）。この呼出信号は、壁埋込形子機３および廊下灯４を介して制御機５に供給される。制御機５に供給される時点で、呼出信号はナースコール子機の識別情報（壁埋込形子機３の接続端子番号およびベッド番号、廊下灯４の部屋番号）と呼出種別の情報とを含むものとなっている。
【００４１】
制御機５は、廊下灯４から供給された呼出信号をナースコール親機６に出力する（ステップＳ２）。この呼出信号を受けたナースコール親機６は、その呼出信号に含まれるナースコール子機の識別情報に基づき端末テーブルを参照し、呼び出しを行った患者の担当看護師が所持するＩＰ携帯電話１０の電話番号情報を呼出先として特定する（ステップＳ３）。そして、特定した電話番号情報を制御機５に通知する（ステップＳ４）。電話番号情報の通知を受けた制御機５は、廊下灯４より入力した呼出信号に含まれるナースコール子機の識別情報および呼出種別の情報に加えて、電話番号情報を含む呼出信号を生成してＩＰアダプタ７に出力する（ステップＳ５）。
【００４２】
また、ナースコール親機６は、制御機５から供給された呼出信号に含まれるナースコール子機の識別情報に基づき画像データベースを参照し、当該識別情報に対応する呼出画像を取得する（ステップＳ６）。そして、取得した呼出画像をナースコール親機６のモニタ画面に表示するとともに、呼出音をスピーカから出力することによって呼び出しを行う（ステップＳ７）。さらに、ナースコール親機６は、ステップＳ６で取得した呼出画像を画像サーバ１１に供給する（ステップＳ８）。画像サーバ１１は、ナースコール親機６から供給された呼出画像を所定のロケーションに格納する（ステップＳ９）。
【００４３】
制御機５から呼出信号を受信したＩＰアダプタ７は、ハンド形子機１と呼出先のＩＰ携帯電話１０とが通話中であるか否かを判定する（ステップＳ１０）。そして、ＩＰアダプタ７は、通話中でないと判定した場合には、制御機５から入力した呼出信号をＳＩＰサーバ８に転送する一方、通話中であると判定した場合には、呼出先であるＩＰ携帯電話１０の電話番号情報を含むトーン信号送信命令をＳＩＰサーバ８に出力する。ここでは、ＩＰアダプタ７は、ハンド形子機１と呼出先のＩＰ携帯電話１０とが通話中ではないと判定し、制御機５から入力した呼出信号をＳＩＰサーバ８に転送する（ステップＳ１１）。
【００４４】
ＳＩＰサーバ８は、ＩＰアダプタ７から転送されてきた呼出信号を呼出先のＩＰ携帯電話１０に送信する（ステップＳ１２）。すなわち、ＳＩＰサーバ８は、無線送受信機９を介して、呼出信号に含まれる電話番号情報を利用して呼出先のＩＰ携帯電話１０に架電し、呼出信号を送信する。この呼出信号を受信したＩＰ携帯電話１０は、所定の呼出音をスピーカから出力することによって呼び出しを行う（ステップＳ１３）。
【００４５】
また、ＩＰ携帯電話１０は、所定のロケーションをアクセス先とするＵＲＬに基づいて画像サーバ１１にアクセスし、所定のロケーションに格納されている呼出画像を画像サーバ１１から取得する（ステップＳ１４）。そして、ＩＰ携帯電話１０は、画像サーバ１１から取得した呼出画像（子機Ａを使用する患者の情報を含む画像）をモニタ画面に表示させることによって呼び出しを行う（ステップＳ１５）。
【００４６】
この呼び出しを受けた看護師が、ＩＰ携帯電話１０をオフフックすると（ステップＳ１６）、そのことがＳＩＰサーバ８およびＩＰアダプタ７を介して制御機５に伝えられ、さらに子機Ａに伝えられる。これにより、子機ＡとＩＰ携帯電話１０との間が通話中の状態に遷移する。
【００４７】
続いて、図４において、別の患者がハンド形子機１（以下、図４のフローチャートにおいて子機Ｂという）の呼出ボタンを押下すると、子機Ｂは、押下された呼出ボタンに対応する呼出種別の情報を含む呼出信号を出力する（ステップＳ２１）。この呼出信号は、壁埋込形子機３および廊下灯４を介して制御機５に供給される。制御機５に供給される時点で、呼出信号はナースコール子機の識別情報と呼出種別の情報とを含むものとなっている。
【００４８】
制御機５は、廊下灯４から供給された呼出信号をナースコール親機６に出力する（ステップＳ２２）。この呼出信号を受けたナースコール親機６は、その呼出信号に含まれるナースコール子機の識別情報に基づき端末テーブルを参照し、呼び出しを行った患者の担当看護師が所持するＩＰ携帯電話１０の電話番号情報を呼出先として特定する（ステップＳ２３）。そして、特定した電話番号情報を制御機５に通知する（ステップＳ２４）。ここでは、図３のステップＳ３で特定されたＩＰ携帯電話１０と同じ電話番号情報が呼出先として特定されたとする。
【００４９】
電話番号情報の通知を受けた制御機５は、廊下灯４より入力した呼出信号に含まれるナースコール子機の識別情報および呼出種別の情報に加えて、電話番号情報を含む呼出信号を生成してＩＰアダプタ７に出力する（ステップＳ２５）。
【００５０】
また、ナースコール親機６は、制御機５から供給された呼出信号に含まれるナースコール子機の識別情報に基づき画像データベースを参照し、当該識別情報に対応する呼出画像を取得する（ステップＳ２６）。そして、取得した呼出画像をナースコール親機６のモニタ画面に表示するとともに、呼出音をスピーカから出力することによって呼び出しを行う（ステップＳ２７）。さらに、ナースコール親機６は、ステップＳ２６で取得した呼出画像を画像サーバ１１に供給する（ステップＳ２８）。画像サーバ１１は、ナースコール親機６から供給された呼出画像を所定のロケーションに更新格納する（ステップＳ２９）。
【００５１】
制御機５から呼出信号を受信したＩＰアダプタ７は、ハンド形子機１と呼出先のＩＰ携帯電話１０とが通話中であるか否かを判定する（ステップＳ３０）。ここでは、ＩＰアダプタ７は、ハンド形子機１と呼出先のＩＰ携帯電話１０とが通話中であると判定し、呼出先であるＩＰ携帯電話１０の電話番号情報を含むトーン信号送信命令をＳＩＰサーバ８に出力する（ステップＳ３１）。ＳＩＰサーバ８は、ＩＰアダプタ７から転送されてきたトーン信号送信命令に従いトーン信号を発生し、呼出先のＩＰ携帯電話１０に送信する（ステップＳ３２）。このトーン信号を受信したＩＰ携帯電話１０は、所定のトーン音を受話部から出力する（ステップＳ３３）。
【００５２】
また、ＩＰ携帯電話１０は、所定のロケーションをアクセス先とするＵＲＬに基づいて画像サーバ１１にアクセスし、所定のロケーションに格納されている呼出画像を画像サーバ１１から取得する（ステップＳ３４）。そして、ＩＰ携帯電話１０は、画像サーバ１１から取得した呼出画像（子機Ｂを使用する患者の情報を含む画像）をモニタ画面に表示させることによって呼び出しを行う（ステップＳ３５）。
【００５３】
なお、以上のフローチャートでは、子機ＡとＩＰ携帯電話１０との通話中に別の子機Ｂから同じＩＰ携帯電話１０に対して呼び出しが行われたときに、ＩＰ携帯電話１０にて呼出画像を切り替えて表示する例について説明した。もし、別の子機Ｂから呼び出しが行われる前に、子機ＡとＩＰ携帯電話１０との通話が終了した場合は、子機Ａに対応する呼出画像は非表示とされる。あるいは、子機ＡとＩＰ携帯電話１０とが通話状態になったとき、または通話状態になってから所定時間後に自動的に子機Ａの呼出画像が非表示となるようにしてもよい。
【００５４】
以上詳しく説明したように、本実施形態では、呼出信号をナースコール親機６が入力したときに、当該呼出信号に含まれる識別情報に対応付けられた患者情報を含む呼出画像を画像データベースから取得し、画像サーバ１１の所定のロケーションに格納する。また、ハンド形子機１とＩＰ携帯電話１０とが通話中でない場合には呼出信号をＩＰ携帯電話１０に送信する一方、通話中である場合にはトーン信号をＩＰ携帯電話１０に送信する。ＩＰ携帯電話１０では、呼出信号またはトーン信号を受信したときに、所定のロケーションに格納されている呼出画像を画像サーバ１１から取得してモニタ画面に表示する。
【００５５】
このように構成した本実施形態によれば、ハンド形子機１と通話中のＩＰ携帯電話１０に対して別のナースコール子機（ハンド形子機１または医療機器２）から呼び出しがあると、呼出信号ではなくトーン信号がＩＰ携帯電話１０に送信される。そのため、ＩＰ携帯電話１０の受話部からトーン音が出力されるのみで、呼出音のスピーカへの出力による呼び出しは行われない。その場合でも、ＩＰ携帯電話１０から画像サーバ１１の所定のロケーションに対してアクセスが行われて呼出画像が取得され、ＩＰ携帯電話１０のモニタ画面に呼出画像が表示されることとなる。
【００５６】
ここで、所定のロケーションに格納される呼出画像は、ナースコール子機の呼出信号が入力されたときに、その呼出信号に含まれる識別情報に対応付けられた患者情報を含む呼出画像に更新されている。そのため、ハンド形子機１との通話中のＩＰ携帯電話１０に対して別のナースコール子機から呼び出しがあった場合は、当該別のナースコール子機の呼出信号に対応する呼出画像がＩＰ携帯電話１０にて取得されて表示されることとなる。これにより、通話中のＩＰ携帯電話１０にてトーン音を出力するだけでなく、呼出画像の表示により呼び出しの内容を看護師に報知することができる。
【００５７】
なお、上記実施形態では、ハンド形子機１とＩＰ携帯電話１０とが通話中である場合にはトーン信号をＩＰ携帯電話１０に送信する例について説明したが、本発明はこれに限定されない。例えば、トーン信号に代えて画像更新命令をＩＰ携帯電話１０に送信するようにしてもよい。すなわち、ＩＰアダプタ７は、ハンド形子機１とＩＰ携帯電話１０とが通話中であると判定した場合、画像更新命令をＳＩＰサーバ８に出力する。ＳＩＰサーバ８は、この画像更新命令をＩＰ携帯電話１０に送信する。
【００５８】
この場合、ＩＰ携帯電話１０の呼出画像表示制御部１０５は、ＳＩＰサーバ８から呼出信号または画像更新命令を受信したときに、所定のロケーションをアクセス先とするＵＲＬに基づき画像サーバ１１にアクセスし、所定のロケーションに格納されている呼出画像を画像サーバ１１から取得してモニタ画面に表示させる。ＩＰ携帯電話１０がトーン信号ではなく画像更新命令を受信したときは、トーン音の出力はせず、呼出画像の表示のみを行うことになる。
【００５９】
また、上記実施形態では、画像取得部１０１および画像格納部１０２の機能をナースコール親機６が備える例について説明したが、本発明はこれに限定されない。例えば、これらの機能を制御機５が備えてもよいし、ＩＰアダプタ７が備えてもよい。画像取得部１０１および画像格納部１０２の機能を制御機５が備える場合、ナースコール親機６が画像データベースから取得した呼出画像を制御機５が更に取得し、画像サーバ１１の所定のロケーションに格納する。あるいは、制御機５が画像データベースから直接的に呼出画像を取得し、画像サーバ１１の所定のロケーションに格納する。
【００６０】
また、上記実施形態では、通話判定部１０３の機能をＩＰアダプタ７が備える例について説明したが、本発明はこれに限定されない。例えば、この機能を制御機５が備えるようにしてもよいし、ＳＩＰサーバ８が備えてもよい。通話判定部１０３の機能を制御機５が備える場合、制御機５は、通話中でないと判定した場合には呼出信号をＩＰアダプタ７に出力する一方、通話中であると判定した場合にはトーン信号送信命令をＩＰアダプタ７に出力する。
【００６１】
また、上記実施形態では、画像取得部１０１が画像データベースから呼出画像を取得する都度、画像格納部１０２がその呼出画像を画像サーバ１１の所定のロケーションに上書きするように格納する例について説明したが、本発明はこれに限定されない。例えば、ナースコール子機とＩＰ携帯電話１０とが通話中か否かを判定し、通話中でない場合は呼出画像を画像サーバ１１に設けた第１の所定のロケーションに格納し、通話中の場合は呼出画像を画像サーバ１１に設けた第２の所定のロケーションに格納するようにしてもよい。
【００６２】
この場合、呼出画像表示制御部１０５は、信号送信部１０４から呼出信号を受信したときは、第１の所定のロケーションをアクセス先とする所在情報（ＵＲＬ１）に基づき画像サーバ１１にアクセスし、第１の所定のロケーションに格納されている呼出画像を画像サーバ１１から取得して表示する。一方、呼出画像表示制御部１０５は、信号送信部１０４からトーン信号または画像更新命令を受信したときは、第２の所定のロケーションをアクセス先とする所在情報（ＵＲＬ２）に基づき画像サーバ１１にアクセスし、第２の所定のロケーションに格納されている呼出画像を画像サーバ１１から取得して表示する。
【００６３】
また、上記実施形態では、画像データベースにあらかじめ格納されている呼出画像を画像取得部１０１が読み出して取得する例について説明したが、本発明はこれに限定されない。例えば、画像取得部１０１は、制御機５から入力した呼出信号に含まれるナースコール子機の識別情報により特定される部屋番号やベッド番号と、当該識別情報に基づき患者テーブルを参照することによって特定される患者の氏名や年齢などと、呼出信号に含まれる呼出種別とを含む画像を動的に生成することによって呼出画像を取得するようにしてもよい。
【００６４】
また、上記実施形態では、携帯用ナースコール親機の例としてＩＰ携帯電話１０を用いる例について説明したが、ＩＰ携帯電話１０の代わりにＰＨＳ端末を用いてもよい。この場合、例えばＳＩＰサーバ８の代わりにハンディナースコール主装置および構内交換機（ＰＢＸ）が用いられる。また、ＩＰアダプタ７の代わりにＰＢＸアダプタが用いられる。
【００６５】
また、上記実施形態では、ＩＰアダプタ７を１つの独立したハードウェアとして備える構成について説明したが、本発明はこれに限定されない。例えば、ＩＰアダプタ７が持つ通話判定部１０３の機能を制御機５あるいはＳＩＰサーバ８に内蔵させるようにしてもよい。
【００６６】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００６７】
１  ハンド形子機
２  医療機器
３  壁埋込形子機
４  廊下灯
５  制御機
６  ナースコール親機
７  ＩＰアダプタ
８  ＳＩＰサーバ
９  無線送受信機
１０  ＩＰ携帯電話（携帯用ナースコール親機）
１１  画像サーバ
１０１  画像取得部
１０２  画像格納部
１０３  通話判定部
１０４  信号送信部
１０５  呼出画像表示制御部
【図１】
0005687549.tif 000002
【図２】
0005687549.tif 000003
【図３】
0005687549.tif 000004
【図４】
0005687549.tif 000005